(57)【要約】      （修正有）【課題】光沢度の選択幅が広く、カールの発生を防止し、分離爪等の分離手段を必要としない。【解決手段】未定着トナー画像をニップ部を通過することにより記録材上に加熱定着する像加熱装置において、加熱部材は、加熱源を内部に備え内面より平坦な面で加圧、加熱される可撓性のベルト状部材１３である第一の加熱部材と、熱ローラである第二の加熱部材３０と、を備え、加圧部材は、第一の加熱部材１０と定着ニップ部Ｎｈを形成する第一の加圧部材２０と、第二の加熱部材３０と加熱ニップ部Ｎｇを形成する第二の加圧部材４０と、を備え、加熱ニップ部Ｎｇは、記録材の画像形成面と反対方向に凹形状を有する加熱ニップ形状とされ、第一の加熱部材１０の第一の加圧部材２０に対する定着ニップ部Ｎｈの単位面積当りの加圧力に対して、第二の加熱部材３０の第二の加圧部材４０に対する加熱ニップ部Ｎｈの単位面積当りにおける加圧力の方を高くする。【選択図】図２
2010107914.tif 000002
【特許請求の範囲】
【請求項１】
記録材上の未定着トナー画像を加熱部材と加圧部材により形成されるニップ部を通過することにより記録材上に固着画像として加熱定着する像加熱装置において、
前記加熱部材は、加熱源を内部に備え内面より平坦な面で加圧、加熱される可撓性のベルト状部材である第一の加熱部材と、熱ローラである第二の加熱部材と、を備え、
前記加圧部材は、前記第一の加熱部材と定着ニップ部を形成する第一の加圧部材と、前記第二の加熱部材と加熱ニップ部を形成する第二の加圧部材と、を備え、
前記加熱ニップ部は、記録材の画像形成面と反対方向に凹形状を有する加熱ニップ形状とされ、
前記第一の加熱部材の前記第一の加圧部材に対する前記定着ニップ部の単位面積当りの加圧力に対して、前記第二の加熱部材の前記第二の加圧部材に対する前記加熱ニップ部の単位面積当りにおける加圧力の方を高くすることができる、
ことを特徴とする像加熱装置。
【請求項２】
前記熱ローラの外径が１６ｍｍ以下であることを特徴とする請求項１に記載の像加熱装置。
【請求項３】
前記第一の加熱部材の加熱源がセラミックヒータであることを特徴とする請求項１又は２に記載の像加熱装置。
【請求項４】
前記第二の加熱部材と前記第二の加圧部材の間の加圧力が可変であることを特徴とする請求項１〜３いずれかの項に記載の像加熱装置。
【請求項５】
前記第二の加熱部材が前記第二の加圧部材から離間可能であることを特徴とする請求項４に記載の像加熱装置。
【請求項６】
前記第一の加圧部材と前記第二の加圧部材は、それぞれ異なる別個の加圧部材であるか、又は、一つの同じ加圧部材であることを特徴とする請求項１〜５のいずれかの項に記載の像加熱装置。
【請求項７】
記録材に未定着トナー画像を形成する画像形成手段と、この未定着トナー画像を記録材に熱定着させる定着装置とを備えた画像形成装置において、
前記定着装置は、請求項１〜６のいずれかの項に記載の像加熱装置であることを特徴とする画像形成装置。
【請求項８】
記録材に定着された画像を像加熱装置にて加熱することにより画像の光沢度を増大させる光沢増大装置において、
前記像加熱装置は、請求項１〜６のいずれかの項に記載の像加熱装置であることを特徴とする光沢増大装置。
【発明の詳細な説明】
【技術分野】
【０００１】
本発明は、電子写真技術や静電記録技術を用いたプリンタや複写機、ファクシミリ等の画像形成装置に搭載され、記録材上の未定着画像を定着する加熱定着装置として好適に使用される像加熱装置、及び、斯かる像加熱装置を使用した画像形成装置に関する。また、像加熱装置は、記録材に定着された画像を加熱することにより画像の光沢度を増大させる光沢増大装置としても好適に使用することができる。
【背景技術】
【０００２】
電子写真プロセスを利用した複写機等の画像形成装置は、用紙（記録材）上に転写方式或いは直接方式で形成された画像（未定着現像剤像）を加熱する像加熱装置を備える。
【０００３】
近年、この像加熱装置としては、通紙の高速化や高画質化に伴い複数個の像加熱手段を備えるものが増えてきている（例えば、特許文献１、２、３参照）。
【０００４】
これは、未定着画像を担持させた記録材に接して画像を加熱する像加熱体を有する像加熱手段を記録材搬送方向に沿って複数個配列し、記録材を前記複数の像加熱手段を順次に通過させて像加熱するものである。
【０００５】
複数個の像加熱手段を持つものの特徴としては、記録材搬送方向最上流側の第一の像加熱手段に未定着画像を担持させた記録材を一度通して画像を加熱定着させ、この記録材を更に下流側の第二の像加熱手段に通して画像を再加熱させるなどの工夫がなされている。一般的には、第一の像加熱手段においてはある程度の定着性を確保し、第二の像加熱手段においては、高画質（高グロス）を目指したものが多い。特に、画像の光沢度（グロス）は、記録材の搬送方向の下流側の第二の像加熱手段による影響が大きい。
【０００６】
また、第一と第二の像加熱手段が共に熱ローラ方式である場合（例えば、特許文献１、２参照）には、記録材のトナー画像を定着させる際の分離性を高めるために、各々の像加熱体に分離部材を設けることが有効である。
【０００７】
ところで、分離爪を像加熱体に当接させると分離性を格段に高めることができる。しかし、像加熱体の表面を傷つける問題がある。また、当接させる分離爪をレシプロ運動させることで傷を軽減することができるが、分離爪と画像表面が擦れることで加熱ローラの表面性が一部耐久によって変わることで、光沢むらを生ずる。従って、分離爪を設けることは、分離性の向上という利点と、光沢むらという欠点を兼ね備えているものである。
【０００８】
また、第一の像加熱手段として、可撓性を有する薄肉のフィルムの内面からセラミックヒータの熱を第一の定着ニップ部に与え、第二の像加熱手段を熱ローラ方式とする方法が提案されている（例えば、特許文献３の第二の実施例参照）。
【特許文献１】特開平６−２５８９７０号公報
【特許文献２】特開２００５−２９２５６７号公報
【特許文献３】特開２００２−３６５９６７号公報
【発明の開示】
【発明が解決しようとする課題】
【０００９】
しかしながら、熱ローラ方式の像加熱手段を第一、第二の像加熱手段に用いる場合には、以下に挙げる不利な面がある。
【００１０】
一つには、画像形成装置の主電源をＯＮしてから、筒状熱ローラ内部に内包した加熱源であるハロゲンランプ等により熱ローラ全体を定着可能な状態にするまでの時間（以下、「ウォームアップタイム」と記す。）が長いことが挙げられる。定着ニップ部を広く形成するためには、それぞれの熱ローラ対の外径を大きくしたり、弾性層の厚みを厚く形成する必要があり、ウォームアップタイムが数分に及ぶものもあった。
【００１１】
特に、第一の像加熱手段が熱ローラ方式である場合、第一の像加熱手段においても低温オフセット等の不具合を発生させず、ある程度の定着性を確保するために適度なニップ幅を必要とする。
【００１２】
ところが、熱ローラの場合、必要なニップ幅を確保するためには熱ローラの外径をある程度大きく保ち、比較的厚い弾性層を必要とし、加圧力も大きくしなければならない。これにより画像形成装置の記録材搬送速度が速い装置においては、第一の像加熱手段のウォームアップタイムは長くかかってしまうのが一般的であった。
【００１３】
更に、定着ニップ部における単位面積当りにかかる加圧力（以下、「線圧」と記す。）が大きくなり、第一の像加熱手段によって画像の光沢度がある程度増大される。一般に線圧が高いと光沢度も高くなる傾向にある。よって、第一の像加熱手段で光沢度の下限値が決定されてしまい、第二の像加熱手段によって変更可能な光沢度の選択幅が狭くなってしまう。
【００１４】
一般に、第二の像加熱手段により記録材上の画像に与える影響が大きく、第二の像加熱手段の画像面と接触する熱ローラ表面が平滑な場合、光沢度は高くなる傾向となる。
【００１５】
そこで、第一及び第二の像加熱手段における記録材上の画像面と接触する熱ローラ表面の平滑度を調整する等の対応もある程度は可能である。しかし、熱ローラ表面の表面性は定着ニップ部からの排出時の分離性能と深く関係しており、分離性能を高めることと光沢度の選択幅を広げることを同時に達成することは困難となっていた。そのため、分離爪等によって強制的に分離し易くする構成を取るのが一般的であるが、分離爪によって熱ローラ表面が傷つき易くなる、光沢ムラが発生し易くなる、耐久性能の高寿命化が困難になる等の課題もあった。
【００１６】
また、第一と第二の像加熱手段の定着ニップ部における記録材への加圧負荷を考えた場合、それぞれの像加熱手段において、記録材は搬送方向と垂直の方向（狭持するどちらかのローラの周方向）に熱と共に強い圧力で曲げられる負荷を受ける。この結果、排出された記録材の変形（以下、「カール」と記す。）が発生し易い構成となっていた。この様子を図９（ａ）及び図９（ｂ）を用いて説明する。
【００１７】
図９（ａ）は、記録材Ｐ上のトナー画像Ｔと接触する定着ローラ６０の硬度より加圧ローラ７０の硬度の方が大きい場合（加熱ニップ形状としては、定着ローラ側のゴムの撓みが大きく凹状態となる場合）を示している。この場合には、記録材Ｐは定着ニップ部における熱と圧力によって搬送方向と垂直の方向でトナー画像Ｔの印字面と反対方向に屈曲させられる。
【００１８】
一方、図９（ｂ）に示したように、定着ローラ６０と加圧ローラ７０の硬度の関係が逆の場合（加圧ローラの弾性層の撓みが大きくなる場合）には、記録材Ｐ上のトナー画像Ｔ印字面側に屈曲した状態で定着ニップより排出される。
【００１９】
一般に、紙の製造条件として抄紙方向というものがある。しかし、一般には、カールの大きさは別として、紙の繊維方向（紙繊維が紙を抄く際に配列し易くなる方向で抄紙方向と同一方向になり易い方向）に関係なく定着ニップ部の形状によって熱ローラ対のどちらかのローラの周方向に巻付き勝手に排出される。
【００２０】
更に、第一の像加熱手段によって強制的に屈曲された記録材の繊維は微視的に繊維が切断されているなどによって弱くなっており、第一の像加熱手段より排出された記録材は外力によって変形し易くなってしまう。そのため、第二の像加熱手段により記録材のカールは大きく形成され易くなってしまっている。
【００２１】
以上のカール対応として定着ローラと加圧ローラの弾性層の硬度を選択することで、定着ニップ部を略フラット形状とすることもある程度は可能である。しかし、製造時の硬度のバラツキ、耐久を通じての硬度変化を通じて定着ニップ部をフラット状態に保つことは困難である。更に、前述したように高い加圧力を必要とする熱ローラ方式の場合、上下熱ローラの多少の硬度差によって定着ニップ部における記録材への負荷は大きなものとなってしまう。また、加圧力が大きいことからカール以外の変形として紙シワ等の不具合も発生し易くなっており、熱ローラに逆クラウン形状を付与する必要がある等の多くの制約があった。
【００２２】
以上のことから、第一と第二の像加熱手段を共に熱ローラ方式とした場合には、構成の選択幅が狭くなる。そのため、画像形成装置を高速化した場合には、大径の熱ローラを使用する等、装置全体も大きくならざるを得ず、分離爪を両方の像加熱手段に設けなければならなかった。
【００２３】
一方で、可撓性を有するフィルム状の加熱部材内面から平坦な摺動面を有するセラミックヒータにて加熱する像加熱手段を第一の像加熱手段とする方法は、次のような利点がある。
【００２４】
つまり、低熱容量によるウォームアップタイムの大幅な短縮、加圧部材との平坦な定着ニップ形成を装置の大型化を招くことなく、また加圧部材との線圧をあまり高めずに達成できる等の利点がある。
【００２５】
しかし、一方で記録材の繊維方向に依存する定着ニップ部での変形が発生し易いことが分かっている。
【００２６】
すなわち、図７に示すように、平坦な定着ニップ部Ｎｈであっても、定着ニップ部において記録材Ｐを加熱するために、記録材Ｐ中に含まれる水分が蒸発することによって記録材の変形が起こる。
【００２７】
図７は、フィルム加熱方式の定着ニップ部拡大図であり、定着部材として加熱ヒータ８０及び定着フィルム８５を備えている。図において、加熱ヒータ８０は、セラミック基板８１の片面に通電発熱抵抗層８２及び摺動層８３が形成されており、ヒータ保持部材８４によって保持された状態となっている。
【００２８】
この定着ニップ部Ｎｈに、可撓性を有する薄肉の定着フィルム８５を導入し、加熱ヒータ８０と加圧ローラ９０との間に加圧力を与えることによって加圧ローラ９０の弾性層９１の変形により定着ニップ部Ｎｈを形成している。
【００２９】
また、定着ニップ部Ｎｈに、トナー画像Ｔが形成された記録材Ｐを導入することで加熱定着を行うが、一般的に定着フィルム８５は、定着ニップ部Ｎｈの上下流の領域において、略水平に走行する。
【００３０】
一方、加圧ローラ表面は、定着ニップ部Ｎｈより下流側では定着ニップ部から離れる方向に回転する。記録材Ｐは、定着ニップ部Ｎｈにおいては、定着フィルム８５と加圧ローラ９０によって狭持搬送されるが、定着ニップ部Ｎｈ下流では拘束されない状態となる。よって矢印の方向へのみ記録材Ｐの変形が可能となる。
【００３１】
この結果、例えば図８（ａ）に示したように、記録材Ｐの搬送方向と繊維方向が同一の場合には、繊維方向と直交する方向への記録材の縮みによる変形が発生し、印字面とは反対方向で記録材Ｐの繊維方向と直交する方向への変形が生じる（以下、「縦カール」と記す。）。これは、記録材の繊維から水分が蒸発した際に、繊維の幅方向への収縮が発生するためである。また、記録材Ｐの搬送方向と繊維方向が直交する場合には、図８（ｂ）に示すように、加圧ローラ９０の周方向へ巻付く方向への変形が発生する（以下、「横カール」と記す。）。
【００３２】
このことから、第一の像加熱手段がフィルム加熱方式の場合、第一の像加熱手段の少なくとも画像形成面側の定着部材には記録材の分離手段としての分離爪等の手段を必要としない構成となる一方、紙の繊維の収縮によるカールの発生があった。
【００３３】
また、第一の像加熱手段の下流側に配置した第二の像加熱手段は、記録材上のトナー画像の光沢度をコントロールする役目を果たす。しかし、第二の像加熱手段の定着ローラ及び加圧ローラの外径や熱容量、ニップ幅、線圧の設定によっては、第二の像加熱手段の定着ローラ或いは加圧ローラへの記録材の巻付き防止のために分離爪が必要となる。また、ウォーミングアップタイムに時間がかかったりする。更に、上記第一の像加熱手段によって発生したカールを助長、或いは悪化させてしまう可能性があった。
【００３４】
この結果、第二の像加熱手段から排出された記録材を画像形成装置外部に排出するまでの間にカール取り手段等の変形補正手段を有する等、複雑な構造となり、画像形成装置の大型化を招く結果を余儀なくされていた。
【００３５】
また、フィルム方式の像加熱手段において、第二の像加熱手段を具備せず、定着ニップ内で下流側に加圧ピークが生じるように、加熱ヒータ保持部材の定着ニップ部方向への出っ張りを設けたもの等が実用化されている。しかし、これらの場合、光沢度は全体的に高くなるが、光沢度の幅広いコントロールが困難になることと、走行するフィルムに負荷がかかるために、高耐久のフィルム方式像加熱装置を提供することが困難になってしまっていた。また、記録材のカールに対して定着ニップ部下流の加圧方法の影響が大きく、あらゆる種類の記録材に対してカールの発生を抑えることは困難になっていた。
【００３６】
そこで、本発明の目的は、記録材上のトナー画像の光沢度の選択幅が広く、カールの発生を防止し、分離爪等の分離手段を必要としない像加熱装置、画像形成装置及び光沢増大装置を提供することである。
【００３７】
本発明の他の目的は、各々加熱部材及び加圧部材を備えた第一及び第二の像加熱手段により記録材上のトナー画像の光沢度を広い範囲で形成することが可能で、ウォーミングアップタイム時間が短く、記録材のカールを効果的に除去することができ、かつ記録材と像加熱手段の分離性に優れた像加熱装置、画像形成装置及び光沢増大装置を提供することである。
【課題を解決するための手段】
【００３８】
上記目的は本発明に係る像加熱装置、画像形成装置及び光沢増大装置にて達成される。要約すれば、本発明は、第一の態様によれば、記録材上の未定着トナー画像を加熱部材と加圧部材により形成されるニップ部を通過することにより記録材上に固着画像として加熱定着する像加熱装置において、
前記加熱部材は、加熱源を内部に備え内面より平坦な面で加圧、加熱される可撓性のベルト状部材である第一の加熱部材と、熱ローラである第二の加熱部材と、を備え、
前記加圧部材は、前記第一の加熱部材と定着ニップ部を形成する第一の加圧部材と、前記第二の加熱部材と加熱ニップ部を形成する第二の加圧部材と、を備え、
前記加熱ニップ部は、記録材の画像形成面と反対方向に凹形状を有する加熱ニップ形状とされ、
前記第一の加熱部材の前記第一の加圧部材に対する前記定着ニップ部の単位面積当りの加圧力に対して、前記第二の加熱部材の前記第二の加圧部材に対する前記加熱ニップ部の単位面積当りにおける加圧力の方を高くすることができる、
ことを特徴とする像加熱装置が提供される。
【００３９】
本発明の第二の態様によれば、記録材に未定着トナー画像を形成する画像形成手段と、この未定着トナー画像を記録材に熱定着させる定着装置とを備えた画像形成装置において、
前記定着装置は、上記構成の像加熱装置であることを特徴とする画像形成装置が提供される。
【００４０】
本発明の第三の態様によれば、記録材に定着された画像を像加熱装置にて加熱することにより画像の光沢度を増大させる光沢増大装置において、
前記像加熱装置は、上記構成の像加熱装置であることを特徴とする光沢増大装置が提供される。
【発明の効果】
【００４１】
本発明によれば、記録材上のトナー画像の光沢度の選択幅が広く、カールの発生を防止し、分離爪等の分離手段を必要としない像加熱装置及び画像形成装置、並びに、光沢増大装置を提供することができる。特に、各々加熱部材及び加圧部材を備えた第一及び第二の像加熱手段により記録材上のトナー画像の光沢度を広い範囲で形成することが可能で、ウォーミングアップタイム時間が短く、記録材のカールを効果的に除去することができる。しかも、記録材と像加熱手段の分離性に優れた像加熱装置及び画像形成装置、並びに、光沢増大装置を提供することができる。
【発明を実施するための最良の形態】
【００４２】
以下、本発明に係る像加熱装置、画像形成装置及び光沢増大装置を図面に則して更に詳しく説明する。
【００４３】
実施例１
以下に図面を参照して、本発明の好適な実施例を例示的に詳しく説明する。ただし、この実施例に記載されている像加熱装置に記録材を供給するまでの画像形成装置の構成、寸法、材質、形状それらの相対配置などは、本発明が適用される装置の構成や各種条件により適宜変更されるべきものである。本発明の範囲を以下の実施例に限定する趣旨のものではない。
【００４４】
（１）画像形成装置の全体構成
図１に、本発明に係る画像形成装置の一実施例であるカラー画像形成装置の概略構成を示す。本実施例にて、カラー画像形成装置は、電子写真方式のタンデム型のフルカラープリンタである。
【００４５】
本実施例の画像形成装置１００は、４つの画像形成部（画像形成手段）１（１Ｙ、１Ｍ、１Ｃ、１Ｂｋ）を備えており、これらの４つの画像形成部１Ｙ、１Ｍ、１Ｃ、１Ｂｋは一定の間隔をおいて一列に配置されている。つまり、本実施例にて、画像形成部は、イエロー色の画像を形成する画像形成部１Ｙと、マゼンタ色の画像を形成する画像形成部１Ｍと、シアン色の画像を形成する画像形成部１Ｃと、ブラック色の画像を形成する画像形成部１Ｂｋである。
【００４６】
各画像形成部１Ｙ、１Ｍ、１Ｃ、１Ｂｋには、それぞれ感光ドラム２ａ、２ｂ、２ｃ、２ｄが設置されている。各感光ドラム２ａ、２ｂ、２ｃ、２ｄの周囲には、帯電ローラ３ａ、３ｂ、３ｃ、３ｄ、現像装置４ａ、４ｂ、４ｃ、４ｄ、転写ローラ５ａ、５ｂ、５ｃ、５ｄ、ドラムクリーニング装置６ａ、６ｂ、６ｃ、６ｄがそれぞれ設置されている。帯電ローラ３ａ、３ｂ、３ｃ、３ｄと現像装置４ａ、４ｂ、４ｃ、４ｄ間の上方には露光装置７ａ、７ｂ、７ｃ、７ｄがそれぞれ設置されている。各現像装置４ａ、４ｂ、４ｃ、４ｄには、それぞれイエロートナー、マゼンタトナー、シアントナー、ブラックトナーが収納されている。
【００４７】
画像形成部１Ｙ、１Ｍ、１Ｃ、１Ｂｋの各感光ドラム２ａ、２ｂ、２ｃ、２ｄの各１次転写部Ｎに、転写媒体としての無端ベルト状の中間転写体５０が当接している。中間転写ベルト５０は、駆動ローラ５１、支持ローラ５２、２次転写対向ローラ５３間に張架されており、駆動ローラ５１の駆動によって矢印方向（時計方向）に回転（移動）される。
【００４８】
１次転写用の各転写ローラ５ａ、５ｂ、５ｃ、５ｄは、各１次転写ニップ部Ｎにて中間転写ベルト５０を介して各感光ドラム２ａ、２ｂ、２ｃ、２ｄに当接している。
【００４９】
２次転写対向ローラ５３は、中間転写ベルト５０を介して２次転写ローラ５４と当接して、２次転写部Ｍを形成している。２次転写ローラ５４は、中間転写ベルト５０に接離自在に設置されている。
【００５０】
中間転写ベルト５０の外側の駆動ローラ５１近傍には、中間転写ベルト５０表面に残った転写残トナーを除去して回収するベルトクリーニング装置５５が設置されている。
【００５１】
また、２次転写部Ｍの記録材Ｐの搬送方向下流側には像加熱装置２００が設置されている。像加熱装置２００については、後で詳述する。
【００５２】
また、この画像形成装置２００内には環境センサー５７とメディアセンサー５８が設置されている。
【００５３】
画像形成動作開始信号が発せられると、所定のプロセススピードで回転駆動される画像形成部１Ｙ、１Ｍ、１Ｃ、１Ｂｋの各感光ドラム２ａ、２ｂ、２ｃ、２ｄは、それぞれ帯電ローラ３ａ、３ｂ、３ｃ、３ｄによって一様に本実施の形態では負極性に帯電される。
【００５４】
そして、露光装置７ａ、７ｂ、７ｃ、７ｄは、入力されるカラー色分解された画像信号をレーザ出力部（不図示）にて光信号にそれぞれ変換し、変換された光信号であるレーザ光を帯電された各感光ドラム２ａ、２ｂ、２ｃ、２ｄ上にそれぞれ走査露光する。これにより、各感光ドラム２ａ、２ｂ、２ｃ、２ｄに静電潜像を形成する。
【００５５】
次いで、先ず、静電潜像が形成された感光ドラム２ａ上に、感光ドラム２ａの帯電極性（負極性）と同極性の現像バイアスが印加された現像装置４ａによりイエローのトナーを感光体表面の帯電電位に応じて静電吸着させることで静電潜像を顕像化し、現像像とする。このイエローのトナー像は、１次転写部Ｎにて１次転写バイアス（トナーと逆極性（正極性））が印加された転写ローラ５ａにより、回転している中間転写ベルト５０上に１次転写される。イエローのトナー像が転写された中間転写ベルト５０は画像形成部１Ｍ側に回転される。
【００５６】
そして、画像形成部１Ｍにおいても、前記同様にして感光ドラム２ｂに形成されたマゼンタのトナー像が、１次転写部Ｎにて中間転写ベルト５０上のイエローのトナー像上に重ね合わせて転写される。
【００５７】
以下、同様にして中間転写ベルト５０上に重畳転写されたイエロー、マゼンタのトナー像上に、画像形成部１Ｃ、１Ｂｋの感光ドラム２ｃ、２ｄで形成されたシアン、ブラックのトナー像を各１次転写部Ｎにて順次重ね合わせる。これにより、フルカラーのトナー像を中間転写ベルト５０上に形成する。
【００５８】
そして、中間転写ベルト５０上のフルカラーのトナー像先端が２次転写部Ｍに移動されるタイミングに合わせて、レジストローラ５６により記録材（転写材）Ｐを２次転写部Ｍに搬送する。この記録材Ｐに、２次転写バイアス（トナーと逆極性（正極性））が印加された２次転写ローラ５４によりフルカラーのトナー像が一括して２次転写される。
【００５９】
フルカラーのトナー像が形成された記録材Ｐは、像加熱装置である定着装置２００に搬送される。本実施例にて、定着装置２００は、第一の像加熱手段（第一の像加熱装置）２００Ａと第二の像加熱手段（第二の像加熱装置）２００Ｂを備えている。第一の像加熱装置２００Ａは、第一の加熱部材（即ち、定着部材）１０及び第一の加圧部材２０より構成され、第二の像加熱装置２００Ｂは、第二の加熱部材（即ち、定着部材）３０及び第二の加圧部材４０より構成される。
【００６０】
記録材Ｐのフルカラーのトナー像は、第一及び第二の像加熱装置２００Ａ、２００Ｂのそれぞれの定着ニップ部で加熱、加圧して記録材Ｐ表面に溶融定着した後に外部に排出され、画像形成装置１００の出力画像となる。そして、一連の画像形成動作を終了する。
【００６１】
尚、画像形成装置１００内には環境センサ５７を有しており、帯電、現像、１次転写、２次転写のバイアスや定着条件は、画像形成装置内の雰囲気環境（温度、湿度）に応じて変更可能な構成となっている。環境センサ５７は、記録材Ｐに形成されるトナー像濃度の調整のためや、最適な転写、定着条件を達成するために用いられる。
【００６２】
また、画像形成装置１００内にはメディアセンサ５７を有しており、記録材Ｐの判別を行うことによって、転写バイアスや定着条件は記録材に応じて変更可能な構成となっており、記録材Ｐに対する最適な転写、定着条件を達成するため用いられる。
【００６３】
上記した１次転写時において、感光ドラム２ａ、２ｂ、２ｃ、２ｄ上に残留している１次転写残トナーは、ドラムクリーニング装置６ａ、６ｂ、６ｃ、６ｄによって除去されて回収される。また、２次転写後に中間転写ベルト５０上に残った２次転写残トナーは、ベルトクリーニング装置５５によって除去されて回収される。
【００６４】
（２）像加熱装置
図２〜図４に、本発明に係る像加熱装置の一実施例を示す。上述のように、本実施例にて像加熱装置は、記録材に転写された未定着トナー画像を記録材に熱定着させる定着装置２００とされる。
【００６５】
図２は、本実施例の定着装置２００の概略構成断面図であり、図３及び図４は、それぞれ、定着装置２００を構成する第一の像加熱装置２００Ａ及び第二の像加熱装置２００Ｂの長手方向概略構成を示す図である。
【００６６】
本実施例の定着装置２００は、定着ベルト加熱方式、加圧用回転体駆動方式（テンションレスタイプ）の第一の像加熱装置２００Ａと、定着ローラと加圧ローラより構成される第二の像加熱装置２００Ｂとを備えている。これら第一及び第二の２つの像加熱装置２００Ａ、２００Ｂは順列した装置構成とされる。
【００６７】
上述したように、本実施例にて、第一の像加熱装置２００Ａは、第一の定着部材１０及び第一の加圧部材２０を備え、第二の像加熱装置２００Ｂは、第二の定着部材３０及び第二の加圧部材４０を備えている。
【００６８】
（第一の像加熱装置２００Ａの全体的構成）
図２及び図３において、第一の像加熱装置２００Ａにおける第一の定着部材１０は、定着ベルト１３を備えており、定着ベルト１３は、可撓性を有する耐熱性ベルト状部材に弾性層を設けてなる円筒状（エンドレスベルト状）の部材である。この定着ベルト１３は、後で詳述する。
【００６９】
第一の像加熱装置２００Ａは、更に、加熱体保持部材としての、横断面略半円弧状樋型の耐熱性・剛性を有するヒータホルダ１４と、ヒータホルダ１４の下面に該ホルダの長手に沿って配設してある加熱体（加熱源）としての定着ヒータ１１とを備えている。定着ベルト１３は、このヒータホルダ１４にルーズに外嵌させてある。定着ヒータ１１は、後で詳述するように、セラミックヒータである。
【００７０】
ヒータホルダ１４及び長手方向両端部に配置する端部フランジ１５は、耐熱性の高い液晶ポリマー樹脂、フェノール樹脂、ＰＰＳ等で形成し、定着ヒータ１１を保持し、定着ベルト１３をガイドする役割を果たす。本実施例においては、共に液晶ポリマーとして、デュポン社のゼナイト７７５５（商品名）を使用した。ゼナイト７７５５の最大使用可能温度は、約２７０℃である。
【００７１】
第一の像加熱装置２００Ａにおける加圧部材２０は、加圧ローラとされる。加圧ローラ２０は、アルミ製、ステンレス製、或いは、ＳＵＭ材（研削鋼）等の芯金２１に、射出成形により、厚み約３ｍｍ程度のシリコーンゴム層２２を形成し、その上に離型性層２３として厚み約５０μｍのＰＦＡ樹脂チューブを被覆して構成される。
【００７２】
この加圧ローラ２０は、芯金２１の両端部を不図示の装置フレームの奥側と手前側の側板間に、回転自由に軸受２４によって保持させて配設してある。また、加圧ローラ２０の端部には回転駆動ギア２５が取り付けられており、所定の回転速度で回転可能となっている。
【００７３】
この加圧ローラ２０の上側に、前記の定着ヒータ１１・ヒータホルダ１４・定着ベルト１３・端部フランジ１５等から成る定着ベルトユニットを定着ヒータ１１側が下向きになるようにして加圧ローラ２０に並行に配置する。そして、ヒータホルダ１４と嵌合された両端部の端部フランジ１５を加圧機構としての加圧バネ１６により所定の圧力で加圧ローラ２０の軸線方向に付勢する。これにより、定着ヒータ１１の下向き面を定着ベルト１３を介して加圧ローラ２０の弾性層２２に該弾性層２２の弾性に抗して所定の押圧力をもって圧接させ、加熱定着に必要な所定幅の定着ニップ部Ｎｈを形成させてある。
【００７４】
定着ニップ部は、長手方向に対して、幅Ｗ１で形成され、この内、記録材最大搬送幅Ｌを形成している。加圧機構は、圧解除機構を有し、ジャム処理時等に、加圧を解除し、記録材Ｐの除去が容易な構成となっている。
【００７５】
第一の像加熱装置２００Ａには、温度検知手段としてのサーミスタ１２が配置されている。温度検知手段としてのサーミスタ１２は、定着ヒータ１１の定着ニップ部Ｎｈとは反対側に所定の加圧力で接触配置されており、不図示の制御回路部（ＣＰＵ）に接続されている。制御回路部は、サーミスタ１２の出力をもとに、定着ヒータ１１温調制御内容を決定し、電力供給部（加熱手段）としての定着ヒータ１１への通電を制御する。または、サーミスタ１２を定着ベルト１３の内面に弾性的に接触させ、定着ベルト１３の内面の温度を検知して定着ヒータ１１への通電を制御する方法であっても良い。
【００７６】
第一の像加熱装置２００Ａにおける定着部材１０と加圧部材２０によって形成される定着ニップ部Ｎｈ内に、未定着トナー画像Ｔ１が形成された記録材Ｐを案内する部材として定着入口ガイド１０１が配置されている。入口ガイド１０１としては、ポリフェニレンサルファイド（ＰＰＳ）樹脂等の耐熱樹脂を使用している。
【００７７】
加圧ローラ２０は、駆動手段により矢印の反時計方向に所定の周速度で回転駆動される。この加圧ローラ２０の回転駆動による該加圧ローラ２０の外面と定着ベルト１３との定着ニップ部Ｎｈにおける圧接摩擦力により円筒状の定着ベルト１３に回転力が作用する。従って、該定着ベルト１３はその内面側が定着ヒータ１１の下向き面に密着して摺動しながらヒータホルダ１４の外回りを矢印の時計方向に従動回転状態になる。定着ベルト１３内面にはグリスが塗布され、ヒータホルダ１４と定着ベルト１３内面との摺動性を確保している。
【００７８】
加圧ローラ２０が回転駆動され、それに伴って円筒状の定着ベルト１３が従動回転状態になる。また、定着ヒータ１１に通電がなされ、該定着ヒータ１１が昇温して所定の温度に立ち上げ温調された状態となる。この状態において、定着ニップ部Ｎｈの定着ベルト１３と加圧ローラ２０との間に未定着トナー像Ｔ１を担持した記録材Ｐが入り口ガイド１０１に沿って案内されて導入される。
【００７９】
定着ニップ部Ｎｈにおいて記録材Ｐのトナー像担持面側が定着ベルト１３の外面に密着して定着ベルト１３と一緒に定着ニップ部Ｎｈを挟持搬送されていく。この挟持搬送過程において、定着ヒータ１１の熱が定着ベルト１３を介して記録材Ｐに付与され、記録材Ｐ上の未定着トナー像Ｔ１が記録材Ｐ上に加熱・加圧されて溶融定着される。
【００８０】
定着ニップ部Ｎｈを通過した記録材Ｐは、定着されたトナー画像Ｔ２を保持したまま、定着ベルト１３から曲率分離され、後述する第二の像加熱装置の加熱ニップ部へ搬送される。
【００８１】
（定着ヒータ１１）
熱源としての定着ヒータ１１は、本実施例では、セラミックヒータを使用している。セラミックヒータは、アルミナや窒化アルミの基板上に、銀・パラジウム合金を含んだ導電ペーストをスクリーン印刷法によって均一な厚さの膜状に塗布することで抵抗発熱体を形成した上に耐圧ガラスによるガラスコートを施したものである。
【００８２】
この定着ヒータ１１は、
（１）通紙方向と直交する方向を長手とする横長の基板（アルミナ或いは窒化アルミ）、
（２）上記の基板の片面側に長手に沿ってスクリーン印刷により線状或いは帯状に塗工した、電流が流れることにより発熱する銀パラジウム（Ａｇ／Ｐｄ）合金を含んだ導電ペーストの、厚み１０μｍ程度、幅１〜５ｍｍ程度の抵抗発熱体層、
（３）上記の抵抗発熱体層に対する給電パターンとして、同じくアルミナ基板の片面側に銀ペーストのスクリーン印刷等によりパターン形成した、第一と第二の電極部、
（４）抵抗発熱体層の保護と絶縁性を確保するためにその上に形成した、定着ベルト１３との摺擦に耐えることが可能な、厚み５０μｍ程度の薄肉ガラスコートの摺動層（或いは、窒化アルミのような高熱伝導基板を用いる場合には、抵抗発熱体層と反対側の基板上に形成した摺動面としてのポリイミド層等の樹脂製摺動層でも良い）、
（５）基板の定着ニップ側と反対の面上に設けたサーミスタ１２、
等からなる。
【００８３】
上記の定着ヒータ１１は摺動面側を下向きに露呈させてヒータホルダ１４に固定して支持させてある。上記定着ヒータ１１の電極部には不図示の給電用コネクタが装着される。ヒータ駆動回路部から給電用コネクタを介して電極部に給電されることで抵抗発熱体層が発熱して定着ヒータ１１が迅速に昇温する。ヒータ駆動回路部は制御回路部（ＣＰＵ）により制御される。
【００８４】
通常使用においては、加圧ローラ２０の回転開始とともに、定着ベルト１３の従動回転が開始し、定着ヒータ１１の温度の上昇とともに、定着ベルト１３内面温度も上昇していく。定着ヒータ１１への通電は、ＰＩＤ制御によりコントロールされ、定着ヒータ１１温度、或いは定着ベルト１３の内面温度、すなわち、サーミスタ１２の検知温度が所定温度になるように、入力電力が制御される。
【００８５】
また、定着ニップ部Ｎｈでは、前記従来の方法で説明した図７に示すように、略平坦面のヒータ摺動面に定着ベルト１３が密着して走行し、記録材Ｐ上のトナー画像Ｔを加熱定着する。なお、このように略平坦面の定着ニップとすることで、後述する定着ベルトへの負荷が軽減され、定着ベルトの高寿命化を達成することが可能になる。
【００８６】
（定着ベルト１３）
本実施例において、定着ベルト１３は、ベルト状部材に弾性層を設けてなる円筒状（エンドレスベルト状）の部材である。具体的には、図６に示すように、材質にＳＵＳを用い、厚み３０μｍの円筒状に形成したエンドレスベルト（ベルト基材）１３ａ上に、厚み約３００μｍ程度のシリコーンゴム層（弾性層）１３ｂを、リングコート法により形成する。更に、その上に、厚み２０μｍのＰＦＡ樹脂チューブ（最表面層）１３ｃを被覆して形成される。
【００８７】
このような構成で作成した定着ベルト１３の熱容量を測定したところ、０．１２Ｊ／ｃｍ2・Ｋ（２．９×１０-2ｃａｌ／ｃｍ2・℃、定着ベルト１ｃｍ2あたりの熱容量）であった。
【００８８】
定着ベルト１３の各層の構成と定着ニップ部Ｎｈ内でのトナー画像定着の様子を図６に示す。
【００８９】
（１）定着ベルトの基層１３ａ
定着ベルト１３の基層１３ａにはポリイミドなどを用いることもできるが、ポリイミドよりもＳＵＳのほうが、熱伝導率がおよそ１０倍と大きく、より高いオンデマンド性を得ることができる。このことから、本実施例においては、定着ベルト１３の基層１３ａにはＳＵＳを用いた。
【００９０】
（２）定着ベルトの弾性層１３ｂ
定着ベルト１３の弾性層１３ｂには熱伝導率の高いゴム層を用いている。これはより高いオンデマンド性を得るためである。本実施例で用いた材質は比熱が約１．２１Ｊ／  ｇ・Ｋ（２．９×１０-1ｃａｌ／ｇ・℃）である。
【００９１】
（３）定着ベルトの離形性層１３ｃ
定着ベルト１３の表面には、フッ素樹脂層等の離型性層１３ｃを設けることで、表面の離型性を向上し、定着ベルト１３表面にトナーが一旦付着し、再度記録材Ｐに移動することで発生するオフセット現象を防止することができる。また、定着ベルト１３表面のフッ素樹脂層を、ＰＦＡチューブとすることで、より簡便に、均一で表面性が良好なフッ素樹脂層を形成することが可能となる。
【００９２】
（４）定着ベルトの熱容量
一般に、定着ベルト１３の熱容量が大きくなると、温度立ち上がりが鈍くなり、オンデマンド性が損なわれる。たとえば、定着装置の構成にも拠るが、スタンバイ温調無しで、２０秒以内での立ち上がりを想定した場合、定着ベルト１３の熱容量は約０．５１Ｊ／ｃｍ2・Ｋ（０．１２３ｃａｌ／ｃｍ2・℃）以下である必要がある。
【００９３】
本実施例においては、朝一立ち上げの際に、定着ヒータ１１に７００Ｗの電力を投入して、定着ベルト１３表面が室温から１９０℃に２０秒以内に立ち上がるように設計してある。シリコーンゴム層１３ｂには、比熱が約１．２１Ｊ／ｇ・Ｋ（２．９×１０-1ｃａｌ／ｇ・℃）の材質を用いており、このとき、シリコーンゴムの厚みは５００μｍ以下でなければならない。定着ベルト１３の熱容量は、約０．１９Ｊ／ｃｍ2・Ｋ（４．５×１０-2ｃａｌ／ｃｍ2・℃）以下である必要がある。また、逆に、０．０４２Ｊ／ｃｍ2・Ｋ（１．０×１０-2ｃａｌ／ｃｍ2・℃）以下にしようとすると、定着ベルト１３のゴム層１３ｂが極端に薄くなる。そのため、ＯＨＴ透過性やグロスムラなどの画質の点において、弾性層を持たないオンデマンド定着装置と同等になってしまう。
【００９４】
本実施例においては、ＯＨＴ透過性やグロスの設定など高画質な画像を得るために必要なシリコーンゴムの厚みは１８０μｍ以上であった。この際の熱容量は０．０８８Ｊ／ｃｍ2・Ｋ（２．１×１０-2ｃａｌ／ｃｍ2・℃）であった。
【００９５】
つまりは、本実施例と同様の定着装置の構成における、定着ベルト１３の熱容量は０．０４２Ｊ／ｃｍ2・Ｋ以上０．５１Ｊ／ｃｍ2・Ｋ以下が一般的に対象となる。この中で、よりオンデマンド性と高画質の両立を図ることができる、０．０８８Ｊ／ｃｍ2・Ｋ以上０．１９Ｊ／ｃｍ2・Ｋ以下の定着ベルトを用いることとした。
【００９６】
なお、比重に関しては、ＡＵＷ−ＳＧＭシリーズ（商品名、（株）島津製作所製）や電子比重計（型番ＳＤ−２００Ｌ、アルファーミラージュ株式会社製）の等の測定装置を用いることができる。また、比熱に関しては、ＤＳＣ６２００（商品名、セイコーインスツルメンツ（株）製）や示差走査熱量計（型番ＤＳＣ８２４０、株式会社リガク製）等の測定装置を用いて測定することが可能である。これらの測定結果より熱容量を求める。
【００９７】
また、定着ニップ部Ｎｈにおける記録材上のトナー画像の定着の様子を図６にて説明する。
【００９８】
上述したように、定着ベルト１３は弾性層１３ｂを具備しているため、記録材Ｐ上のトナー画像Ｔに対して、定着ニップ部Ｎｈで定着ベルト１３の表面がトナー画像の段差に応じて弾性変形することが可能となる。従って、トナー画像Ｔ１を包み込む効果があり、一様な定着性能が達成される。このため、定着ベルト１３の弾性層１３ｂの硬度は定着一様性に密接に関係している。ＪＩＳ  Ｋ７３１２やＳＲＩＳ０１０１規格に準じたＡＳＫＥＲ−Ｃ型硬度計（商品名、高分子計器（株）製）を用いて測定した硬度（以下、「ＡＳＫＥＲ−Ｃ硬度」と記す。）で、１〜５０度にあるものが好ましい。弾性層のＡＳＫＥＲ−Ｃ硬度をこの範囲にすることにより、加熱定着部材の弾性層が被記録材やトナー像の凹凸への追従が容易となり、十分な画像均一性が確保できる。なお、ＡＳＫＥＲ−Ｃ硬度を測定するのに充分な厚みが確保できない試料では、弾性層だけを切り出し、数枚を重ねて測定することで測定する。
【００９９】
以上が第一の像加熱装置の全体的な構成及び主要部分の構成の詳細であるが、画像形成装置の速度やトナーの種類によって、それぞれの構成は、形状や材質を適宜選択するものであり、一意に決定されるものではない。但し、定着ベルト１３の外径としては、直径１６〜３０ｍｍ程度、弾性層１３ｂのＡＳＫＥＲ−Ｃ硬度１５〜３０度程度、厚み１８０〜３５０μｍ、ＰＦＡチューブ１３ｃの厚みは１２〜３５μｍ程度に設定する。また、定着ヒータ１１としては、基板幅６〜１３ｍｍ程度として、定着ニップ幅Ｎｈを５〜１０ｍｍ程度とするのが、定着性能の確保、像加熱装置の大きさ、記録材の搬送安定性、分離性の観点から良好な範囲とされる。
【０１００】
また、加圧部材２０としての加圧ローラの外径は、直径２０〜３０ｍｍ程度がオンデマンド性を確保するという熱容量の観点からも適度な範囲である。また、弾性ゴム単体のＡＳＫＥＲ−Ｃ硬度は１５〜４０°、離型性層被覆後の硬度４５〜６５°程度がニップ幅Ｎｈ確保と記録材搬送性の観点から良好な範囲である。
【０１０１】
また、上記範囲で第一の様々な像加熱装置２００Ａを構成し、様々な記録材Ｐ上のトナー画像を加熱定着したところ、定着ニップ部Ｎｈより排出された記録材Ｐは前述した図８（ａ）及び（ｂ）のようなカール状の変形が発生した。また、これらのカールは、前述したように記録材Ｐ中の繊維に含まれていた水分が蒸発した際に発生することから、記録材Ｐが定着ニップ部Ｎｈにて受ける熱量と大きな相関がある。また、記録材Ｐの繊維自体には大きなダメージ（熱ローラで見られるような繊維の断裂等）は見受けられなかった。
【０１０２】
（第二の像加熱装置２００Ｂの全体的構成）
図２及び図４を参照して、本実施例に係る第二の像加熱装置２００Ｂの説明をする。
【０１０３】
本実施例にて、第二の像加熱装置２００Ｂは、定着部材３０と加圧部材４０とを備えている。それぞれの部材３０、４０により第二の加熱ニップ部Ｎｇを形成して記録材上のトナー画像の加熱を可能としている。
【０１０４】
第二の像加熱装置２００Ｂの定着部材３０は、中空定着ローラとされ、中空定着ローラ３０の内部には、ローラ内部から加熱する加熱源としてのハロゲンヒータ３１が配置されている。ハロゲンヒータ３１は、３５０Ｗ〜６００Ｗ定格程度の加熱源である。また、ハロゲンヒータ３１は、両端の封止部３１ａから外部に繋がれた給電電極３１ｂへ給電を行うことでタングステンを発光し、輻射熱を発生させる。
【０１０５】
定着ローラ３０は、オンデマンド性を確保し、記録材の分離性を確保するため、直径８〜１６ｍｍのＳＵＭ材或いはステンレス等の金属スリーブであり、厚みを０．４〜１．０ｍｍと薄く形成した中空芯金３１にて形成されている。また、強度を高めるためにその厚さ方向全域に軟窒化処理による窒素の拡散層が形成された円筒体としていたり、内部に強度ｕｐのためのリブが形成されてあっても良い。内面には麒化処理として黒色塗装（材質オキツモ８０００番；三井油化製等）を塗布し、ハロゲンヒータ３１の輻射熱の吸収効率を高めている。
【０１０６】
定着ローラ３０を構成する芯金３２の最表面には離型性層３２ａとして厚み１０〜３０μｍ程度のフッ素樹脂層が形成されている。フッ素樹脂層としては、例えばポリテトラフルオロエチレン樹脂（ＰＴＦＥ）、テトラフルオロエチレン−パーフルオロアルキルビニルエーテル共重合体樹脂（ＰＦＡ）、フッ化エチレンポリプロピレン共重合体樹脂（ＦＥＰ）、ポリフッ化ビニリデン樹脂（ＰＶＤＦ）、ポリフッ化ビニル樹脂（ＰＶＦ）等を挙げることができる。
【０１０７】
また、上記材料に高熱伝導性を有する部材を添加して、高熱伝導の離型性層を形成しても良い。例えば一つの方法として、ＰＦＡ中に熱伝導率が少なくとも１０．０Ｗ／ｍ・Ｋ以上の材料から成る繊維状或いはフレーク状の高熱伝導フィラーを１０ｖｏｌ％〜５０ｖｏｌ％混入させた層を厚み１０〜３０μｍで形成する。但し、本目的のトナー画像の光沢度選択幅を広げるために第二の像加熱装置２００Ｂに具備される定着ローラ３０の表面は、粗さが少ない平滑な表面にした方が、高い光沢度を達成するのに適しており、表面性を良好に保った状態での高熱伝導化が適している。
【０１０８】
上記の繊維状或いはフレーク状の高熱伝導フィラーは、例えば、ＡｌＮ、グラファイト、アルミナ等の金属酸化物、カーボンナノチューブ、ダイアモンド、アルミ、チタン合金、銅合金等の金属、チッ化ホウ素、チッ化珪素、炭化珪素、結晶性シリカ等である。
【０１０９】
或いは、表面性が良好な離型性層として厚み１０〜３０μｍのＰＦＡチューブを被覆する方法でも良い。ＰＦＡチューブ中に熱伝導を向上させるための上記フィラーが混入されていても勿論良い。
【０１１０】
また、上記定着ローラ３０を構成する円筒状芯金３２と離型性層３２ａの間に極薄く弾性ゴムを介在させてあっても良い。ただし、後述するカール除去効果を得るためには、厚み１ｍｍ以下、弾性ゴムのＡＳＫＥＲ−Ｃ硬度は３０°以上とすることが好ましい。これにより、後述する加圧部材４０としての加圧ローラの弾性層４２との撓みにおいて、定着ローラ３０のゴムの撓み量が加圧ローラ４０の弾性層４２の撓み量より少なくすることで、カール除去効果が得られる。
【０１１１】
定着ローラ３０の単位面積当りの熱容量としては、オンデマンド性を考慮して２０秒以内に定着ローラ表面温度が所定温度に達するためには、０．３５Ｊ／ｃｍ2・Ｋ以下にする必要がある。このため、より小径の定着ローラ３０が適している。また、ある程度の加圧力に対して機械的強度を満足するためには、０．１３Ｊ／ｃｍ2・Ｋ以上の熱容量が必要となる。よって、０．１３Ｊ／ｃｍ2・Ｋ以上０．３５Ｊ／ｃｍ2・Ｋ以下の熱容量で定着ローラを形成することが望ましい。
【０１１２】
また、定着ローラ３０は、第二の像加熱装置２００Ｂであり、第一の像加熱装置２００Ａによって既に加熱された記録材Ｐ上のトナー画像の最表面を加熱することで光沢度を高めることを目的とする。そのため、定着ローラ３０の加熱ニップ部Ｎｇとしては、通紙方向（記録材搬送方向）幅が３ｍｍ以下で十分である。また、加熱ニップ幅Ｎｇを狭くすることで、加圧力に対して加熱ニップ部Ｎｇ中で十分な線圧を与えることが可能になるため、記録材上のトナー画像の光沢度を効果的に上げることができる。
【０１１３】
また、定着ローラ３０は、直径１６ｍｍ以下（８ｍｍ以上）の小径とすることで、狭い加熱ニップ部Ｎｇでも定着ローラ３０の曲率により、カール除去が効果的に達成される。
【０１１４】
特に、第一の像加熱装置２００Ａによって記録材中の水分が蒸発した安定した状態となって第二の像加熱装置２００Ｂ内に記録材が突入する。そのため、定着ローラ３０を小径とすることにより、記録材中の水分量に寄与しないカール補正が可能となるため、非常に安定した記録材のカール補正が可能となる。また、定着ローラ３０が小径のため、加熱ニップ部Ｎｇから排出された記録材は曲率分離により、記録材自身の腰だけで、自然と定着ローラ３０から分離する。よって、分離爪等の定着ローラ３０表面に傷を付ける可能性のある部材を配置する必要もなく、長寿命の像加熱装置となる。
【０１１５】
定着ローラ３０の表面には温度検知素子３３としてのサーミスタが配置されており、定着ローラ表面が所定の温度に維持加熱されるように制御されている。
【０１１６】
また、定着ローラ３０を構成する円筒状芯金の長手方向端部には、図４に示すように、駆動ギア３４が固定されており、画像形成装置の駆動を受け、回転駆動される構成となっている。
【０１１７】
また、加圧部材４０としての加圧ローラは、アルミ、ステンレス、ＳＵＭ材等の金属芯金４１の外面にシリコーンゴム等からなる弾性層４２を被覆してある。弾性層４２としては、シリコーンゴムを厚み１〜３ｍｍ程度で被覆するのが好ましく、上記定着ローラ３０との間で記録材カール除去に効果のある加圧ローラ側が凹形状となる設定が、即ち、記録材Ｐの画像形成面と反対方向に凹形状を有するのが好ましい。弾性ゴムのＡＳＫＥＲ−Ｃ硬度は１５〜４０°程度が良い。加圧ローラ全体のＡＳＫＥＲ−Ｃ硬度としては、１ｋｇｆ加重で５０〜６５°程度が良い。
【０１１８】
また、弾性層４２として、断熱弾性層とすることも定着ローラ昇温を速くするために有効である。
【０１１９】
断熱弾性層４２としては、熱硬化性オルガノポリシロキサン組成物１００重量部に、平均粒子径が５００μｍ以下の中空フィラーを０．１〜２００重量部配合してなるシリコーンゴム組成物を加熱硬化して形成される。
【０１２０】
ここで、中空フィラーとしては、硬化物内に気体部分を持つことでスポンジゴムのように熱伝導率を低下させるもので、マイクロバルーン材等がある。このような材料としては、ガラスバルーン、シリカバルーン、カーボンバルーン、フェノールバルーン、アクリロニトリルバルーン、塩化ビニリデンバルーン、アルミナバルーン、ジルコニアバルーン、シラスバルーンなど、如何なるものでも構わない。
【０１２１】
無機系マイクロバルーンの具体例を以下に挙げるが、本発明はこれらに限定されない。シラスバルーンとしては、イヂチ化成（株）製のウインライト、三機工業（株）製のサンキライトが挙げられる。ガラスバルーンとしては、日本板硝子（株）製のカルーン、旭ガラス（株）製のセルスター、３Ｍ（株）製のグラスバブルズフィラーが挙げられる。シリカバルーンとしては、旭硝子（株）製のＱ−ＣＥＬが挙げられる。フライアッシュバルーンとしては、ＰＦＡＭＡＲＫＥＴＩＮＧ（株）製のＣＥＲＯＳＰＨＥＲＥＳが挙げられる。アルミナバルーンとしては、昭和電工（株）製のＢＷが挙げられる。ジルコニアバルーンとしては、ＺＩＲＣＯＡ（株）製のＨＯＬＬＯＷ    ＺＩＲＣＯＮＩＵＭ    ＳＰＨＥＥＳが挙げられる。カーボンバルーンとしては、呉羽化学（株）製クレカスフェアなどが挙げられる。
【０１２２】
中空フィラー自体が弾性を有するものが好適である。例えば、熱可塑性樹脂製中空バルーン、特に塩化ビニリデン、アクリロニトリル、メタクリロニトリル、アクリル酸エステル、メタクリル酸エステルの重合物或いはこれらのうち２種以上の共重合物などからなるものが好適である。
【０１２３】
更には、熱膨張マイクロバルーン材として、松本油脂製薬株式会社の松本マイクロスフェア−Ｆシリーズ、エクスパンセル社のエクスパンセルシリーズ等などを挙げることができる。
【０１２４】
また、加圧ローラ４０の最外層にＰＦＡチューブ等の離型性層を形成してあっても良い。
【０１２５】
加圧ローラ４０の外径としては、直径１０〜２０ｍｍ程度の小径で構成することが望ましい。これにより、上記定着ローラ３０のオンデマンド性を確保するため、熱容量を抑えることができ、また、第二の像加熱装置２００Ｂとして、既に加熱状態にある記録材上のトナー画像の最表面だけを更に溶かしてトナー面を平滑化させることができる。
【０１２６】
加圧ローラ４０は、図４に示すように、端部の軸４１ａを軸受け４３で受けており、軸受け４３には加圧バネ４４が取り付け可能になっている。不図示の定着フレームに加圧バネ４４の他端を固定することで、定着ローラ３０との間に所定の加圧力を与えられる構成となっている。これにより長手方向Ｗ２の長さで定着ローラ３０と加圧ローラ４０の間に加熱ニップ部Ｎｇを形成している。
【０１２７】
定着ローラ３０及び加圧ローラ４０から構成される第二の像加熱装置２００Ｂに対して、第一の像加熱装置２００Ａから排出された記録材Ｐを、そのまま連続的に第二の像加熱装置２００Ｂへ導入する。このとき、第一の像加熱装置２００Ａから排出された記録材Ｐ上のトナー画像Ｔ２は、さらに第二の像加熱装置２００Ｂによってトナー像表面が加熱され、固着画像Ｔ３となって排紙ガイド１０２に案内されて排出される。排紙ガイド１０２はＰＰＳ等の耐熱樹脂により形成されている。
【０１２８】
以上の構成において、第一の像加熱装置２００Ａによって発生したカールを除去し、記録材上のトナー画像の光沢度をどの程度上げることが可能になるかを確認した。
【０１２９】
実験に用いた画像形成装置１００は、プロセススピード１８０ｍｍ／ｓｅｃの電子写真方式タンデム型のフルカラープリンタであり、１分間に３０枚のカット紙（ＬＴＲサイズ、Ａ４サイズ）を通紙可能な装置である。
【０１３０】
また、この画像形成装置１００は、半速の９０ｍｍ／ｓｅｃでの通紙も可能であり、厚紙やラフ紙、グロスペーパーを通紙する際に、画像形成装置のパネル操作を実施することで選択可能な機能を有する。
【０１３１】
上記画像形成装置１００に、以下に説明する本実施例の像加熱装置（定着装置）２００を搭載した。
【０１３２】
第一の像加熱装置２００Ａは、前述した構成（ＳＵＳ３０μｍ、シリコーンゴム３００μｍ、ＰＦＡチューブ２０μｍ）の外径２４ｍｍの定着ベルト１３の内部に、幅１０ｍｍ、厚み０．６ｍｍの窒化アルミヒータ１１を接触させた定着部材１０を備えている。また、加圧部材２０は、外径１８ｍｍのＳＵＭ材よりなる中実芯金２１の外側に、ＡＳＫＥＲ−Ｃ硬度２５°のシリコーンゴム２２を厚み３ｍｍで形成し、最外層２３に厚み５０μｍのＰＦＡチューブを被覆した直径２５ｍｍの加圧ローラとした。
【０１３３】
なお、加圧ローラ２０のＰＦＡチューブ被覆後のＡＳＫＥＲ−Ｃ硬度は、１ｋｇ加重で５６°である。また、窒化アルミヒータ１１は、ニップと反対面に抵抗発熱体を形成し、ニップ面側には厚み６μｍのポリイミド層を形成した。窒化アルミヒータ１１と加圧ローラ２０間に定着ベルト１３を介在させ、加圧力は２４ｋｇｆとした。加圧領域の長手寸法は２３０ｍｍ、定着ニップ部Ｎｈの記録材搬送方向幅は６．７ｍｍである。よって単位面積当りの線圧は約１５．６ｇ／ｍｍ2程度である。
【０１３４】
次に、第二の像加熱装置２００Ｂは、厚み０．６ｍｍの中空芯金３２の表面に厚み２０μｍのＰＦＡチューブ３２ａを被覆した定着ローラ３０の内部に５００Ｗ出力の直径６ｍｍハロゲンヒータ３１を具備したものであった。加圧ローラ４０としては、ＳＵＭ材よりなる直径１４ｍｍの中実芯金４１にＡＳＫＥＲ−Ｃ硬度（１ｋｇｆ加重）が１５〜４０°のシリコーンゴム４２を２ｍｍ厚で形成後、厚み５０μｍのＰＦＡチューブを被覆したものであった。ローラ全体の硬度として、ＡＳＫＥＲ−Ｃ硬度（１ｋｇｆ加重）を４５〜７０°まで様々に振ったサンプルを用意した。
【０１３５】
また、定着ローラ３０としては、高温オフセットが発生しない範囲として、表面温度を１５０℃で温調し、外径を７ｍｍ〜２０ｍｍで振って、カール補正効果、記録材の分離性、光沢度の向上効果を確認した。加圧力は、適宜振って、ニップ幅と線圧を調整してそれぞれの特性を確認した。光沢度の測定方法としては、日本電飾社製ＰＧ−３Ｄを使った入射角７５°での測定値を用いた。
【０１３６】
なお、それぞれのニップ幅の測定方法としては、加熱状態で全面ベタ黒画像を形成した記録材（画像形成装置の搬送可能な最大長手幅の記録材）を搬送し、ニップ内で１０秒間以上停止した後、除去した際におけるベタ黒上の光沢の違いよりニップ幅を測定する。
【０１３７】
本実験では、第一の像加熱装置２００Ａの定着ニップ幅も含め、上記方法によりニップ幅を各々５回測定し、その平均値をそれぞれのニップ幅として定義した。
【０１３８】
また、それぞれの像加熱装置２００Ａ、２００Ｂの線圧は、図３、図４に示した長手方向のニップ幅Ｗ１及びＷ２と、上記ニップ幅測定方法によって測定した記録材搬送方向のニップ幅より各ニップの総面積を計算し、総加圧力をこの総面積で除して計算した。
【０１３９】
使用した記録材は、坪量６０ｇ／ｍ2、７５ｇ／ｍ2、９０ｇ／ｍ2、１０５ｇ／ｍ2、１２０ｇ／ｍ2、１６０ｇ／ｍ2のＬＴＲ紙である。紙質としては、普通コピー用紙、再生紙、グロス紙（コート紙）をそれぞれ搬送方向に対して繊維方向が平行及び垂直となる記録材、総数３６種類用意して確認した。確認結果を表１に示す。
【０１４０】
なお、表中のカール補正は、
（１）○は、全ての記録材で第二の像加熱装置２００Ｂによってカールが低減され、問題ないレベル、
（２）△は、７割以上の記録材でカール低減され問題ないが、残りの紙種で若干カールが大きく、許容し難いレベル、
（３）×は、３割以上の記録材でカールへの改善が見られなかった場合、
を示す。
【０１４１】
また、記録材の分離性は、トナー画像を記録材先端に各色ベタ状態で印字した場合に、
（１）○は、全ての紙種で問題なく通紙できた場合、
（２）△は記録材の１〜５種類にガイドに当たって発生した記録材頂点の角折れ等の不具合が発生した場合、
（３）×は、少なくとも１種類の紙種で定着ローラへの巻付きが発生してしまった場合、
を示す。
【０１４２】
また、光沢度の向上効果は、第一の像加熱装置２００Ａのみで加熱定着した場合のグロス値をグロスメータ「ＰＧ−１」（日本電飾社製、７５°入射角）にて測定した値に対して、
（１）第二の像加熱装置でグロス値を全ての紙種において、２倍以上増加することができた場合を○、
（２）７割の紙種で２倍以上のグロス向上が達成されたが残りの紙種で２倍に及ばなかった場合で、画像形成装置の速度を９０ｍｍ／ｓｅｃに落とすことで２倍以上のグロス向上が図れた場合を△（許容範囲）、
（３）３割以上の紙種で２倍に及ばず、速度を９０ｍｍ／ｓｅｃに落としても２倍以上が全てにおいて達成できなかった場合を×、
として評価した。
【０１４３】
【表１】
2010107914.tif 000003
【０１４４】
以上の結果より、第二の像加熱装置２００Ｂにおける加熱ニップ部Ｎｇの線圧が第一の像加熱装置２００Ａより低い場合には、光沢度を向上する効果が少ないことが分かる。線圧が同等の場合には画像形成装置の速度を落とすことによりグロス向上が十分に図れる。
【０１４５】
よって、第二の像加熱装置２００Ｂで光沢度の選択幅を広げるためには、少なくとも第一の像加熱装置２００Ａにおける定着ニップ部の単位面積あたりの加圧力（線圧）より、第二の像加熱装置２００Ｂにおける加熱ニップ部の単位面積当りの加圧力（線圧）が高い必要がある。これは、第二の像加熱装置２００Ｂの定着ローラ表面における滑らかな表面形状をしっかりと記録材上のトナー画像へ転写する意味で重要となる。
【０１４６】
また、カール補正に関しても、小径の定着ローラ３０で線圧がしっかりとかかっていれば効果があることが分かる。
【０１４７】
一方、外径が１７ｍｍ以上の大きい定着ローラ３０では、線圧がかかっていてもカール補正効果が少なくなり、さらに分離性が著しく悪化する傾向にあることが分かる。特に、上記実験で示した第二の像加熱装置２００Ｂは、加圧ローラ４０の弾性層４２が加圧力によって撓むことで加熱ニップ部Ｎｇを形成しているため、全ての場合において、加圧ローラ側に凹形状の窪みが発生する形態で加熱される。
【０１４８】
一方、第一の像加熱装置２００Ａは、前述したように記録材のトナー画像形成面と反対方向にカールされ排出されるため、本方式の第二の像加熱装置２００Ｂによってカールを補正する効果が現れていることが分かる。
【０１４９】
このことを確認するため、上記実験において、第二の像加熱装置２００Ｂにおける定着ローラ３０の中空芯金３２の外側に厚み２ｍｍの弾性層を形成し、加圧ローラ４０の弾性層４２を削除したものを試作して同様の実験を行った。その結果、全ての場合において線圧が高くなる程、記録材のカールが助長され、悪化することが確認された。
【０１５０】
以上のことから、第一のフィルム形式の像加熱装置２００Ａにおける平均線圧に比べ、第二の像加熱装置２００Ｂの線圧を上げることで、記録材上のトナー画像の光沢を向上させる効果が高くなり、光沢度の選択幅が広がることが分かる。また、定着ローラ３０の温度を１５０℃で温調して実験を実施したが、室温から１５０℃まで振ることで容易に記録材上のトナー画像の光沢度を変更可能であることが確認された。
【０１５１】
更に、第二の像加熱装置２００Ｂの定着ローラ３０の外径を１６ｍｍ以下とし、加熱リップ形状が加圧ローラ側に凹形状となる加熱ニップ部Ｎｇを形成し、線圧をしっかり確保することで、カール補正を確実に行うことが可能となった。更に、分離性を確保することができた。
【０１５２】
つまり、第一の像加熱装置２００Ａより第二の像加熱装置２００Ｂにおけるニップ部での線圧を高めることで画像の光沢度の選択幅を広げることができる。また、上述のように、第二の像加熱装置２００Ｂにおいて、定着ローラ３０を直径１６ｍｍ以下として加圧ローラ側に凹形状となる加熱ニップＮｇを形成することでカール補正、分離性を確実に達成することが可能となる。これにより、像加熱装置２００Ｂの下流側でのカール補正手段の構成や分離性確保のための分離爪等の分離手段を特別設ける必要がない。
【０１５３】
このことから、画像形成装置や像加熱装置の大型化を招く必要がなく、さらに分離爪等による定着ローラ表面の傷も発生することがない。更に、第一の像加熱装置２００Ａにおいて定着ニップ部を略フラットとすることから、定着ベルト１３への負荷が少なく、耐久寿命の長い像加熱装置が構成される。
【０１５４】
さらに、記録材の繊維が受ける負荷が実質第二の像加熱装置２００Ｂからのみとなるため、画像形成装置から排出された記録材の腰が極端に低くなるようなことはない。
【０１５５】
本実施例では、像加熱装置として、第一及び第二の像加熱装置２００Ａ、２００Ｂを具備し、それぞれに第一、第二の加熱部材１０、３０、第一、第二の加圧部材２０、４０を構成する像加熱装置を説明した。しかし、加圧部材２０、４０は共通化することも可能である。即ち、第一の加圧部材２０と第二の加圧部材４０は、それぞれ異なる別個の加圧部材であるとしたが、一つの同じ加圧部材とすることもできる。
【０１５６】
つまり、第一の加熱部材１０が可撓性を有する定着ベルト１３を略平坦面の加熱ヒータにより内面から加熱する構成とされる。そして、第二の加熱部材３０が熱ローラ形状であり、加圧部材との間で形成する加熱ニップ形状が記録材の画像形成面と反対側に凹形状となる加熱ニップ部を形成するものであれば、同効果が得られる。
【０１５７】
上述のように、本実施例の像加熱装置によれば、第一の加熱部材において、平坦な加熱面で可撓性のあるベルトを内面から加熱し、かつ平坦な加熱面と加圧部材の間に該ベルトを介して加圧する。そのため、平坦な加圧で記録材上の未定着トナー画像を加熱定着することになる。よって、記録材に折り曲げの負荷がかからず、記録材中の水分の蒸発による変形のみが発生する。
【０１５８】
これに対して、第二の加熱部材と加圧部材において、記録材の画像形成面と反対方向へ凹形状となる加熱ニップ部で加熱及び加圧を行うため、第一の加熱部で形成された記録材の変形を補正することが可能になる。また、第一の加熱部材と加圧部材の間で形成される定着ニップ部の単位面積当りの圧力に対して、第二の加熱部材と加圧部材の間で形成される加熱ニップ部の単位面積当りの圧力を高く設定される。これにより、加熱状態の記録材上トナー画像の最表面を強い線圧で加圧及び加熱することで、第二の加熱部材によって記録材上のトナー画像の光沢度を高める効果が得られる。さらに、第二の加熱部材としての熱ローラの径を小さく形成することで、カール補正能力が向上し、さらに記録材の分離性が高まり、分離爪等の分離手段を必要としない。
【０１５９】
実施例２
図５を参照して、本発明に係る像加熱装置である定着装置２００の第二の実施例について説明する。
【０１６０】
本実施例の定着装置２００の構成は、前記実施例１で示した図２〜図４と同様であり、同じ構成及び作用をなす部材には同一符号を付し、前記実施例１の説明を援用し、説明を省略する。
【０１６１】
本実施例では、第二の像加熱装置２００Ｂにおける定着部材３０と加圧部材４０の間に付与する加圧力を目的に応じて可変としたことを特徴とする。
【０１６２】
図５を参照して、本実施例における第二の像加熱装置２００Ｂの構成を説明する。
【０１６３】
図５において、加圧ローラ４０の両端部における軸４１ａには、加圧力変更のためのレバー４６が具備されている。レバー４６は、回転軸４５を中心に回転可能に取り付けられており、レバー４６の加圧ローラ軸４１ａ端とは反対側の端部において、加圧変更カム４８と接触している。加圧変更カム４８の周方向位置によってレバー４６の一端が上下移動される結果、レバー４６の他端が上下され、定着ローラ３０と加圧ローラ４０の間に付与される加圧力が加圧バネ４４の伸縮によって変動される。
【０１６４】
なお、加圧変更カム４８は、回転軸４７の周方向に回転可能であり、その頂点４８ａ、４８ｂ、４８ｃでそれぞれ所定の加圧力が定着ローラ３０と加圧ローラ４０間に付与されるようになっている。なお、定着ローラ３０と加圧ローラ４０は離間可能とされ、回転軸４７から頂点４８ｃが最も距離があり、このときには、定着ローラ３０と加圧ローラ４０は完全に離間した状態となるようにした。
【０１６５】
また、加圧変更カム４８のそれぞれの頂点がレバー４６の真下の位置に来たことは、不図示のエンコーダーや加圧変更カムに固定された不図示のセンサレバーの位置をフォトインタラプタ等の検出素子で検出する等の方法で検出することが可能である。また、その検出方法は何れの方法であっても構わない。
【０１６６】
これにより、加圧変更カム４８の各頂点がレバー４６の真下に位置する場合、無負荷（４８ｃ）、弱負荷（４８ｂ）、強負荷（４８ａ）と３段階に加圧力を調整することが可能になる。なお、本実施例では、３段階の加圧状態で説明したが、さらに細かく加圧状態を変更する方法であっても、２段階の加圧状態変更の方法であっても良く、それぞれの目的に応じて多段階の加圧状態を達成する方法であれば、その形態は問わない。
【０１６７】
市場では、様々な記録材が販売されており、さらにカラー画像に対してはユーザーの好みは千差万別である。写真画像を一つ取っても光沢度が高い銀塩写真のような画質を好む人もいれば、光沢の無いマットな画像を好む人もいる。また、文字画像なども、光沢があった方が目立ち易いと感じる人も居れば、光沢があると読むときにちらついて読み難いためにマットな方が良いと感じる人も居る。
【０１６８】
そのため、ユーザーの嗜好に合わせて記録材上のトナー画像の光沢度の選択幅が広いことは、様々なユーザー、用途に対応することが可能になる。前記実施例１で示したように、第一の像加熱装置２００Ａでは、記録材上のトナー画像の光沢度は低い状態で排出される。よって、ユーザーがマットな画像を出力したい場合に、画像形成装置の操作パネル等から低グロスのモードを選択することで、加圧変更カム４８が回転して、無負荷状態にすること可能になる。
【０１６９】
または、各記録材の種類に応じて予めユーザーが操作パネルやパソコンから各記録材を使用してカラー画像を形成する際に、第二の像加熱装置２００Ｂにおける加圧力をどのモードに設定するか決定して、画像形成装置に記憶しておくこともできる。
【０１７０】
以上の方法によりユーザーが好むトナー画像の光沢度を選択可能にすることで、様々な画質の画像を形成することができる。
【０１７１】
また、前記実施例１にて示した図１における環境センサー５７やメディアセンサー５８を活用して第二の像加熱装置２００Ｂにおける加圧力を自動設定することもできる。
【０１７２】
すなわち、環境センサー５７で高温、高湿環境を検知した場合などは、第二の像加熱装置２００Ｂの加圧力を高め、カール補正を強くすることもできる。
【０１７３】
更に、メディアセンサー５８によって第一の像加熱装置２００Ａでカールの発生が起こり難い厚紙を検知した場合には、第二の像加熱装置２００Ｂの加圧力を低くして、第二の像加熱装置２００Ｂによるカール除去効果を低く設定することも可能である。
【０１７４】
特に、第一の像加熱装置２００Ａにおいてカールの発生が起こり難い厚紙等は、第二の像加熱装置２００Ｂで屈曲の力を記録材に与えない方が排出された記録材の品質が高くなることもある。このため、このような場合には、第二の像加熱装置２００Ｂの加圧力を低くすることで高品質の記録材を排出するよう選択することもできる。
【０１７５】
以上、本実施例では、第二の像加熱装置２００Ｂの加圧力を変動可能とすることで、記録材上のトナー画像の光沢度を広い範囲で選択可能としたり、第一の像加熱装置２００Ａで発生したカールのカール補正力を使用環境や記録材に応じて変更可能にする。これにより、使用するユーザーの好みに合わせた画像を形成し、排出した記録材の品質を高めることが可能になる。
【０１７６】
実施例３
実施例１及び実施例２で説明した像加熱装置、即ち、定着装置２００は、画像形成部にて形成され、転写された未定着トナー画像を記録材Ｐに熱定着させる定着装置２００であった。
【０１７７】
しかしながら、上記実施例の像加熱装置２００は、記録材に定着された画像を加熱することにより画像の光沢度を増大させる光沢増大装置として使用することもできる。
【０１７８】
つまり、本実施例によれば、画像形成装置にて作製され、定着装置にて定着された固着画像を有する記録材を、再度、本実施例の光沢増大装置を通し、再加熱することにより、記録材上の画像の光沢度を増大させることができる。
【０１７９】
勿論、本実施例においても、実施例１、２における像加熱装置が有すると同様の作用効果を達成し得る。
【図面の簡単な説明】
【０１８０】
【図１】本発明に係る画像形成装置の一実施例の概略構成断面図である。
【図２】本発明に係る像加熱装置の一実施例の概略構成断面図である。
【図３】本発明に係る像加熱装置の一実施例の長手方向概略構成正面図である。
【図４】本発明に係る像加熱装置の一実施例の長手方向概略構成断面図である。
【図５】本発明に係る像加熱装置の他の実施例における第二の像加熱装置の加圧力変更を説明する概略構成側面図である。
【図６】定着ニップ部におけるトナー画像定着を説明する概略図である。
【図７】定着ニップ部の記録材搬送方向を説明する概略図である。
【図８】加熱定着後の記録材の変形を説明する概略図である。
【図９】従来例における加熱定着装置における記録材の変形を説明する概略図である。
【符号の説明】
【０１８１】
１０          第一の加熱部材（定着部材）
１１          加熱ヒータ（加熱源）
１２          温度検知手段
１３          定着ベルト（フィルム状部材）
１４          断熱ステイホルダー
２０          加圧回転体
３０          第二の加熱部材（定着部材）
３２          定着ローラ
３３          温度検知手段
４０          加圧回転体
Ｎｇ          加熱ニップ部
Ｎｈ          定着ニップ部
Ｔ            トナー
Ｐ            記録材
【図１】
2010107914.tif 000004
【図２】
2010107914.tif 000005
【図３】
2010107914.tif 000006
【図４】
2010107914.tif 000007
【図５】
2010107914.tif 000008
【図６】
2010107914.tif 000009
【図７】
2010107914.tif 000010
【図８】
2010107914.tif 000011
【図９】
2010107914.tif 000012